(57)【要約】【課題】印刷速度が高速な印刷装置に対して印刷処理を実行させるような場合でも、印刷要求（印刷ジョブ）の一覧表示を視認可能とする。【解決手段】ジョブ進捗速度判定部３６は、ジョブ制御部３５からそれぞれの印刷ジョブの進捗状態に関する情報を受け取り、各印刷ジョブに基づく処理が完了する速さである進捗速度が設定値以上であるか否かを判定する。表示制御部３７は、ジョブ進捗速度判定部３６により進捗速度が設定値以上であると判定された場合、操作パネル２０において表示される印刷ジョブの一覧表示を設定された時間間隔で更新するよう制御する（ポーリングモード）。表示制御部３７は、ジョブ進捗速度判定部３６により進捗速度が設定値未満であると判定された場合、いずれかの印刷ジョブの処理状態が変化すると、操作パネル２０において表示される印刷ジョブの一覧表示を直ちに更新するよう制御する（リアルタイムモード）。【選択図】図３
2013205899.tif 000002
【特許請求の範囲】
【請求項１】
印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段と、
を備えた印刷制御装置。
【請求項２】
前記表示制御手段は、前記表示手段において表示される印刷要求の一覧表示を設定された時間間隔で更新するよう制御する場合、処理状態が印刷中である印刷要求については印刷要求の一覧表示において表示しないように制御する請求項１記載の印刷制御装置。
【請求項３】
前記表示制御手段は、前記表示手段において表示される印刷要求の一覧表示を設定された時間間隔で更新するよう制御する場合、印刷要求の一覧表示における全ての印刷要求の処理状態を印刷完了であるとして表示するよう制御する請求項１記載の印刷制御装置。
【請求項４】
印刷要求を受け付ける受付手段と、
前記受付手段により受け付けられた印刷要求に基づいて印刷用紙上に画像を出力するための印刷データを生成する生成手段と、
前記生成手段により生成された印刷データを送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段と、
前記送信手段により送信されてきた印刷データに基づいた画像を印刷用紙上に出力する印刷装置と、
を備えた画像形成システム。
【請求項５】
受け付けた印刷要求に基づいて印刷用紙上に画像を出力するための印刷データを生成して印刷装置に送信するステップと、
受け付けた複数の印刷要求の一覧を、各印刷要求の処理状態とともに表示するステップと、
受け付けた複数の印刷要求に基づく処理が完了する速さである進捗速度が設定値以上であるか否かを判定するステップと、
進捗速度が設定値以上であると判定された場合、表示される印刷要求の一覧表示を設定された時間間隔で更新するよう制御するステップとをコンピュータに実行させるためのプログラム。
【発明の詳細な説明】
【技術分野】
【０００１】
本発明は、印刷制御装置、印刷システムおよびプログラムに関する。
【背景技術】
【０００２】
特許文献１には、画面の更新禁止時間を任意に設定できるようにして、操作者の習熟度に応じて表示時間を変更することができるようにした画面表示更新制御方式が開示されている。
【０００３】
特許文献２には、コンテンツ中に任意のキーワードが出現した時点で、スクロール速度を変更するようにした自動スクロール制御装置が開示されている。
【先行技術文献】
【特許文献】
【０００４】
【特許文献１】特開平３−１８１９８９号公報
【特許文献１】特開２００２−８２６６４号公報
【発明の概要】
【発明が解決しようとする課題】
【０００５】
本発明の目的は、印刷速度が高速な印刷装置に対して印刷処理を実行させるような場合でも、印刷要求（印刷ジョブ）の一覧表示を視認可能とすることができる印刷制御装置、印刷システムおよびプログラムを提供することである。
【課題を解決するための手段】
【０００６】
［印刷制御装置］
請求項１に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段とを備えている。
【０００７】
請求項２に係る本発明では、前記表示制御手段は、前記表示手段において表示される印刷要求の一覧表示を設定された時間間隔で更新するよう制御する場合、処理状態が印刷中である印刷要求については印刷要求の一覧表示において表示しないように制御する請求項１記載の印刷制御装置である。
【０００８】
請求項３に係る本発明では、前記表示制御手段は、前記表示手段において表示される印刷要求の一覧表示を設定された時間間隔で更新するよう制御する場合、印刷要求の一覧表示における全ての印刷要求の処理状態を印刷完了であるとして表示するよう制御する請求項１記載の印刷制御装置である。
【０００９】
[印刷システム]
請求項４に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段と、
前記送信手段により送信されてきた印刷データに基づいた画像を印刷用紙上に出力する印刷装置とを備えている。
【００１０】
[プログラム]
請求項５に係る本発明は、受け付けた印刷要求に基づいて印刷用紙上に画像を出力するための印刷データを生成して印刷装置に送信するステップと、
受け付けた複数の印刷要求の一覧を、各印刷要求の処理状態とともに表示するステップと、
受け付けた複数の印刷要求に基づく処理が完了する速さである進捗速度が設定値以上であるか否かを判定するステップと、
進捗速度が設定値以上であると判定された場合、表示される印刷要求の一覧表示を設定された時間間隔で更新するよう制御するステップとをコンピュータに実行させるためのプログラムである。
【発明の効果】
【００１１】
請求項１に係る本発明によれば、印刷速度が高速な印刷装置に対して印刷処理を実行させるような場合でも、印刷要求の一覧表示を視認可能とすることができる印刷制御装置を提供することができる。
【００１２】
請求項２に係る本発明によれば、請求項１に係る発明により得られる効果に加えて、印刷要求の一覧表示を行う際に、実際には印刷処理が完了している印刷要求の処理状態を印刷中であるとして表示することを防ぐことが可能な印刷制御装置を提供することができる。
【００１３】
請求項３に係る本発明によれば、請求項１に係る発明により得られる効果に加えて、印刷要求の一覧表示を行う際に、実際には印刷処理が完了している印刷要求の処理状態を印刷処理が完了していないとして表示することを防ぐことが可能な印刷制御装置を提供することができる。
【００１４】
請求項４に係る本発明によれば、印刷速度が高速な印刷装置に対して印刷処理を実行させるような場合でも、印刷要求の一覧表示を視認可能とすることができる印刷システムを提供することができる。
【００１５】
請求項５に係る本発明によれば、印刷速度が高速な印刷装置に対して印刷処理を実行させるような場合でも、印刷要求の一覧表示を視認可能とすることができるプログラムを提供することができる。
【図面の簡単な説明】
【００１６】
【図１】本発明の一実施形態の印刷システムのシステム構成を示す図である。
【図２】本発明の一実施形態におけるコントローラ３０のハードウェア構成を示すブロック図である。
【図３】本発明の一実施形態におけるコントローラ３０の機能構成を示すブロック図である。
【図４】操作パネル２０上に表示される印刷ジョブの一覧表示の例を示す図である。
【図５】本発明の一実施形態における表示制御部３７が印刷ジョブの一覧表示を行う際の動作を示すフローチャートである。
【図６】図５のステップＳ１０３において示したポーリングモードでのジョブ一覧表示を行う際の動作を説明するためのフローチャートである。
【図７】リアルタイムモードによりジョブ一覧表示が行われる場合の一例を示す図である。
【図８】印刷処理の進捗速度が速い場合に印刷ジョブの一覧表示をリアルタイムモードで表示した場合の表示例を示す図である。
【図９】ポーリングモードにより印刷ジョブの一覧表示が行われる場合の一例を示す図である。
【図１０】ポーリングモードで印刷ジョブの一覧表示が行われる場合、処理状態がプリント中である印刷ジョブについては印刷ジョブの一覧表示において表示しない場合の表示例を示す図である。
【図１１】ポーリングモードで印刷ジョブの一覧表示が行われる場合、印刷ジョブの一覧表示における全ての印刷ジョブの処理状態を印刷完了であるとして表示する場合の表示例を示す図である。
【発明を実施するための形態】
【００１７】
次に、本発明の実施の形態について図面を参照して詳細に説明する。
図１は本発明の一実施形態の印刷システムの構成を示すブロック図である。
【００１８】
本発明の一実施形態の印刷システムは、図１に示されるように、印刷ジョブを生成して出力するホストコンピュータ１０と、操作パネル２０と、コントローラ（印刷制御装置）３０と、連続紙に対する印刷処理を行う印刷装置４０とから構成されている。なお、本実施形態では、操作パネル２０をコントローラ３０とは独立した構成として説明しているが、操作パネル２０をコントローラ３０の構成要素として含めるようにしても良い。
【００１９】
次に、本実施形態の印刷システムにおけるコントローラ３０のハードウェア構成を図２に示す。
【００２０】
コントローラ３０は、図２に示されるように、ＣＰＵ１１、メモリ１２、ハードディスクドライブ（ＨＤＤ）等の記憶装置１３、ネットワークを介して外部の装置等との間でデータの送信及び受信を行う通信インタフェース（ＩＦ）１４を有する。これらの構成要素は、制御バス１５を介して互いに接続されている。
【００２１】
ＣＰＵ１１は、メモリ１２または記憶装置１３に格納された制御プログラムに基づいて所定の処理を実行して、コントローラ３０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２２】
図３は、上記の制御プログラムが実行されることにより実現されるコントローラ３０の機能構成を示すブロック図である。
【００２３】
本実施形態のコントローラ３０は、図３に示されるように、印刷ジョブ受付部３１と、印刷ジョブ格納部３２と、印刷データ生成部３３と、印刷データ送信部３４と、ジョブ制御部３５と、ジョブ進捗速度判定部３６と、表示制御部３７とを備えている。
【００２４】
印刷ジョブ受付部３１は、ホストコンピュータ４０から送信されてきた印刷ジョブ（印刷要求）を順次受け付ける。
【００２５】
印刷ジョブ格納部３２は、印刷ジョブ受付部３１により受け付けられた印刷ジョブを格納する。
【００２６】
印刷データ生成部３３は、印刷ジョブ受付部３１により受け付けられ、印刷ジョブ格納部３２に格納された印刷ジョブに基づいて印刷用紙上に画像を出力するための印刷データを生成する。具体的には、印刷データ生成部３３は、印刷ジョブ受付部３１により受け付けられた印刷ジョブに基づいて、ラスタ形式の画像データを印刷データとして生成する。
【００２７】
印刷データ送信部３４は、印刷データ生成部３３により生成された印刷データを印刷装置４０に対して送信する。そして、印刷装置４０では、印刷データ送信部３４により送信されてきた印刷データに基づいた画像を印刷用紙上に出力する。
【００２８】
ジョブ制御部３５は、印刷ジョブ受付部３１、印刷データ生成部３３、印刷送信部３４における印刷ジョブの処理を制御するとともにその進捗状態を監視している。
【００２９】
表示制御部３７は、印刷ジョブ受付部３１により受け付けられた複数の印刷ジョブの一覧を、各印刷ジョブの処理状態とともに操作パネル２０に表示させるような制御を行う。
【００３０】
この操作パネル２０上に表示される印刷ジョブの一覧表示の例を図４に示す。この図４に示された印刷ジョブの一覧表示では、印刷ジョブ名と、その印刷ジョブの処理状態とは一覧で表示されている。例えば、ジョブ名が「ジョブ１００００１」という印刷ジョブの処理状態は「プリント中」であることが示されている。また、操作パネル２０上では、印刷ジョブの取り消し、削除等を行うための各種操作ボタン４１〜４５が表示されている。
【００３１】
ここで、「プリント中」とは、生成された印刷データに基づく印刷処理が印刷装置４０において実行されている、つまり「印刷中」であることを示している。また、「プリント待ち」とは、印刷データは生成済みであり、印刷装置４０における印刷処理の待機状態であることを示している。また、「処理中」とは、受け付けられた印刷ジョブに基づいて、印刷データ生成部３３において印刷データを生成している最中である状態を示している。最後に、「処理待ち」とは、これから印刷データ生成部３３において印刷データを生成する状態、つまり印刷ジョブ格納部３２に格納されている状態を示している。
【００３２】
ジョブ進捗速度判定部３６は、ジョブ制御部３５から、それぞれの印刷ジョブの進捗状態に関する情報を受け取り、各印刷ジョブに基づく処理が完了する速さである進捗速度が設定値以上であるか否かを判定する。例えば、ジョブ進捗速度判定部３６は、６０秒間に印刷処理が完了した印刷ジョブの数が１５以上の場合には、進捗速度が設定値以上であり速いと判定し、６０秒間に印刷処理が完了した印刷ジョブの数が１４以下の場合には、進捗速度が設定値以下であり遅いと判定する。
【００３３】
そして、表示制御部３７は、ジョブ進捗速度判定部３６により進捗速度が設定値以上であると判定された場合、表示手段である操作パネル２０において表示される印刷ジョブの一覧表示を設定された時間間隔で更新するよう制御する（ポーリングモード）。ここで、印刷ジョブの一覧表示の表示内容を更新する時間間隔としては、ユーザが表示されたジョブの一覧表示の内容を視認することが可能であると考えられる時間であり、例えば数秒程度とすることが考えられる。
【００３４】
また、表示制御部３７は、ジョブ進捗速度判定部３６により進捗速度が設定値未満であると判定された場合、いずれかの印刷ジョブの処理状態が変化すると、操作パネル２０において表示される印刷ジョブの一覧表示を直ちに更新するよう制御する（リアルタイムモード）。
【００３５】
つまり、印刷処理を実行する印刷装置が高速機の場合には、ポーリングモードにより印刷ジョブの一覧表示が行われ、低中速機の場合には、リアルタイムモードにより印刷ジョブの一覧表示が行われる。
【００３６】
さらに、表示制御部３７は、操作パネル２０において表示される印刷ジョブの一覧表示を設定された時間間隔で更新するよう制御する場合（ポーリングモードで一覧表示を行う場合）、処理状態がプリント中（印刷中）である印刷ジョブについては印刷ジョブの一覧表示において表示しないように制御するようにしても良い。
【００３７】
また、表示制御部３７は、操作パネル２０において表示される印刷ジョブの一覧表示を設定された時間間隔で更新するよう制御する場合（ポーリングモードで一覧表示を行う場合）、印刷ジョブの一覧表示における全ての印刷ジョブの処理状態を印刷完了であるとして表示するよう制御しても良い。これは、高速印刷中の場合、ジョブ一覧をユーザが見たタイミングでは、表示中の印刷ジョブはすでに印刷完了となっている可能性が高いためである。
【００３８】
次に、本実施形態のコントローラ３０における動作を図面を参照して詳細に説明する。
【００３９】
図５は、本実施形態における表示制御部３７が印刷ジョブの一覧表示を行う際の動作を示すフローチャートである。
【００４０】
先ず、ホストコンピュータ１０から印刷ジョブが送信されてきて印刷ジョブ受付部３１により受信されると、ジョブ制御部３５は、印刷データ生成部３３等を制御して受信された印刷ジョブの処理を開始する（ステップＳ１０１）。
【００４１】
すると、ジョブ進捗速度判定部３６は、ジョブ制御部３５から、それぞれの印刷ジョブの進捗状態に関する情報を受け取り、各印刷ジョブに基づく処理が完了する速さである進捗速度が設定値以上であるか否かを判定する（ステップＳ１０２）。
【００４２】
ステップＳ１０２において、進捗速度が設定値以上であると判定された場合（ステップＳ１０２においてｙｅｓ）、表示制御部３７は、設定された時間間隔で表示内容を更新するポーリングモードにより印刷ジョブの一覧表示を行う（ステップＳ１０３）。
【００４３】
また、ステップＳ１０２において、進捗速度が設定値未満であると判定された場合（ステップＳ１０２においてｎｏ）、表示制御部３７は、いずれかの印刷ジョブの処理状態が変化すると表示内容を直ちに更新するリアルタイムモードにより印刷ジョブの一覧表示を行う（ステップＳ１０４）。
【００４４】
そして、未処理の印刷ジョブがある場合には、ステップＳ１０２〜Ｓ１０４の処理が繰り返される（ステップＳ１０５）。そして、全ての印刷ジョブの処理が終了すると（ステップＳ１０５においてｎｏ）、表示制御部３７は、ジョブ一覧表示を空にして処理を終了する（ステップＳ１０６）。
【００４５】
次に、図５のステップＳ１０３において示したポーリングモードでのジョブ一覧表示を行う際の動作を図６を参照して詳細に説明する。
【００４６】
表示制御部３７では、ジョブ制御部３５から処理中のジョブ一覧情報を取得し（ステップＳ２０１）、処理中のジョブ一覧を操作パネル２０の画面上に表示する（ステップＳ２０２）。そして、全ての印刷ジョブが完了していなければ（ステップＳ２０３においてｎｏ）、表示制御部３７では、設定された時間だけ、例えば２〜４秒だけ待機して（ステップＳ２０４）、ステップＳ２０１、Ｓ２０２の処理が繰り返される。
【００４７】
そして、全ての印刷ジョブが完了した場合（ステップＳ２０３においてｙｅｓ）、処理は終了される。
【００４８】
次に、このようにして操作パネル２０上に表示されるジョブ一覧表示の一例を図面を参照して説明する。
【００４９】
先ず、リアルタイムモードによりジョブ一覧表示が行われる場合の一例を図７に示す。リアルタイムモードでは、いずれかの印刷ジョブの処理状態が変化した場合に表示内容の更新が行われるため、図７（Ａ）に示すような一覧表示が行われている場合に、「ジョブ１００００４」の印刷データ生成処理が終了したことにより処理状態が「処理中」から「プリント待ち」に変化し、「ジョブ１００００５」の印刷データ生成処理が開始されたことにより処理状態が「処理待ち」から「処理中」に変化すると、一覧表示の表示内容が図７（Ｂ）に示すような表示内容に更新される。
【００５０】
このようなリアルタイムモードでの印刷ジョブの一覧表示では、印刷ジョブの処理状態が順次変化していくことを把握することが可能となる、しかし、印刷処理が完了した印刷ジョブは一覧表示上から逐次消えていくため、処理の進捗に伴って一覧表示の表示内容はスクロールしてしまう。その結果、例えば印刷速度が２５００ページ／分のような高速印刷が可能な連続紙プリンタの印刷処理を制御する際に、印刷ジョブの一覧表示をリアルタイムモードで表示した場合、表示内容が視認不可能な速度でスクロールしてしまうことになる。
【００５１】
例えば、１つの印刷ジョブが１ページからなる多数の印刷ジョブの印刷処理を行う場合、印刷速度が２５００ページ／分（≒４２ページ／秒）の高速連続紙プリンタで印刷処理を行うと、１秒間に４０以上の印刷ジョブの処理が完了することになる。そのため、このような進捗速度が速い場合に印刷ジョブの一覧表示をリアルタイムモードで表示すると、図８に示すように視認することが不可能な表示内容となってしまう。
【００５２】
しかし、本実施形態の印刷システムにおけるコントローラ３０では、このような印刷処理の進捗速度が速い場合には、図９に示すようにポーリングモードにより印刷ジョブの一覧表示が行われる。このポーリングモードによる一覧表示では、設定された時間間隔でしか表示内容が更新されないため、例えば、図９（Ａ）に示すような表示内容が図９（Ｂ）に示すような表示内容に切り替わる。
【００５３】
なお、表示制御部３７がポーリングモードで印刷ジョブの一覧表示を表示するよう制御する場合、処理状態がプリント中（印刷中）である印刷ジョブについては印刷ジョブの一覧表示において表示しないように制御する場合の表示例を図１０に示す。
【００５４】
ポーリングモードでは、表示内容の更新が実際の処理状態よりも遅くなってしまうため、「プリント中」と表示されていても実際には印刷処理が完了している可能性が高い。そのため、この図１０に示した表示例では、処理状態が「プリント中」である印刷ジョブについては表示することなく一覧表示から削除されている。
【００５５】
また、表示制御部３７がポーリングモードで印刷ジョブの一覧表示を表示するよう制御する場合、印刷ジョブの一覧表示における全ての印刷ジョブの処理状態を印刷完了であるとして表示する場合の表示例を図１１に示す。
【００５６】
上記で説明したのと同様の理由により、ポーリングモードでは表示内容の更新が実際の処理状態よりも遅くなってしまうため、「プリント中」、「プリント待ち」、「処理中」、「処理待ち」と表示されていても実際には印刷処理が完了している可能性が高い。そのため、この図１１に示した表示例では、全ての印刷ジョブの処理状態を「印刷完了」として表示されている。
【００５７】
なお、このような制御を行う場合においても、表示制御部３７は、全ての印刷ジョブの処理状態を「印刷完了」とするのではなく、先頭から一定個数の印刷ジョブのみ「印刷完了」として表示するようなことも可能である。
【００５８】
また、このような一覧表示を行っている最中に印刷装置４０において何らかのエラーが発生して印刷処理が停止したような場合、処理状態が「印刷完了」として表示されたにもかかわらず、実際には印刷処理が完了していないという状態が発生することも考えられる。しかし、このような場合には、印刷処理が停止したことにより印刷処理の進捗速度も低下するため、表示制御部３７は、印刷ジョブの一覧表示をポーリングモードからリアルタイムモードに切り替える。そのため、最終的には実際の処理状態に対応した正しい内容が一覧表示上において表示されるようになる。
【符号の説明】
【００５９】
１０    ホストコンピュータ
１１    ＣＰＵ
１２    メモリ
１３    記憶装置
１４    通信インタフェース（ＩＦ）
１５    制御バス
２０    操作パネル
３０    コントローラ
３１    印刷ジョブ受付部
３２    印刷ジョブ格納部
３３    印刷データ生成部
３４    印刷データ送信部
３５    ジョブ制御部
３６    ジョブ進捗速度判定部
３７    表示制御部
４０    印刷装置
４１〜４５  操作ボタン
【図２】
2013205899.tif 000003
【図５】
2013205899.tif 000004
【図６】
2013205899.tif 000005
【図１】
2013205899.tif 000006
【図３】
2013205899.tif 000007
【図４】
2013205899.tif 000008
【図７】
2013205899.tif 000009
【図８】
2013205899.tif 000010
【図９】
2013205899.tif 000011
【図１０】
2013205899.tif 000012
【図１１】
2013205899.tif 000013
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値未満であると判定された場合、前記表示手段において表示される印刷要求の一覧表示を第１の時間間隔で更新するよう制御し、前記判定手段により進捗速度が設定値以上であると判定された場合、前記表示手段において表示される印刷要求の一覧表示を前記第１の時間間隔よりも長い第２の時間間隔で更新するよう制御する表示制御手段と、
を備えた印刷制御装置。
【請求項２】
前記表示手段において表示される印刷要求の一覧表示を第１の時間間隔で更新する制御は、いずれかの印刷要求の処理状態が変化した場合、前記表示手段において表示される印刷要求の一覧表示を直ちに更新する制御であり、
前記表示手段において表示される印刷要求の一覧表示を前記第１の時間間隔よりも長い第２の時間間隔で更新する制御は、前記表示手段において表示される印刷要求の一覧表示を設定された時間間隔で更新する制御である請求項１記載の印刷制御装置。
【請求項３】
印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段とを備え、
前記表示制御手段は、前記表示手段において表示される印刷要求の一覧表示を設定された時間間隔で更新するよう制御する場合、処理状態が印刷中である印刷要求については印刷要求の一覧表示において表示しないように制御する印刷制御装置。
【請求項４】
印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段とを備え、
前記表示制御手段は、前記表示手段において表示される印刷要求の一覧表示を設定された時間間隔で更新するよう制御する場合、印刷要求の一覧表示における全ての印刷要求の処理状態を印刷完了であるとして表示するよう制御する印刷制御装置。
【請求項５】
印刷要求を受け付ける受付手段と、
前記受付手段により受け付けられた印刷要求に基づいて印刷用紙上に画像を出力するための印刷データを生成する生成手段と、
前記生成手段により生成された印刷データを送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値未満であると判定された場合、前記表示手段において表示される印刷要求の一覧表示を第１の時間間隔で更新するよう制御し、前記判定手段により進捗速度が設定値以上であると判定された場合、前記表示手段において表示される印刷要求の一覧表示を前記第１の時間間隔よりも長い第２の時間間隔で更新するよう制御する表示制御手段と、
前記送信手段により送信されてきた印刷データに基づいた画像を印刷用紙上に出力する印刷装置と、
を備えた画像形成システム。
【請求項６】
受け付けた印刷要求に基づいて印刷用紙上に画像を出力するための印刷データを生成して印刷装置に送信するステップと、
受け付けた複数の印刷要求の一覧を、各印刷要求の処理状態とともに表示するステップと、
受け付けた複数の印刷要求に基づく処理が完了する速さである進捗速度が設定値以上であるか否かを判定するステップと、
進捗速度が設定値未満であると判定された場合、表示される印刷要求の一覧表示を第１の時間間隔で更新するよう制御し、進捗速度が設定値以上であると判定された場合、表示される印刷要求の一覧表示を前記第１の時間間隔よりも長い第２の時間間隔で更新するよう制御するステップとをコンピュータに実行させるためのプログラム。
【手続補正２】
【補正対象書類名】明細書
【補正対象項目名】０００４
【補正方法】変更
【補正の内容】
【０００４】
【特許文献１】特開平３−１８１９８９号公報
【特許文献２】特開２００２−８２６６４号公報
【手続補正３】
【補正対象書類名】明細書
【補正対象項目名】０００６
【補正方法】変更
【補正の内容】
【０００６】
［印刷制御装置］
請求項１に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値未満であると判定された場合、前記表示手段において表示される印刷要求の一覧表示を第１の時間間隔で更新するよう制御し、前記判定手段により進捗速度が設定値以上であると判定された場合、前記表示手段において表示される印刷要求の一覧表示を前記第１の時間間隔よりも長い第２の時間間隔で更新するよう制御する表示制御手段とを備えている。
請求項２に係る本発明は、前記表示手段において表示される印刷要求の一覧表示を第１の時間間隔で更新する制御は、いずれかの印刷要求の処理状態が変化した場合、前記表示手段において表示される印刷要求の一覧表示を直ちに更新する制御であり、
前記表示手段において表示される印刷要求の一覧表示を前記第１の時間間隔よりも長い第２の時間間隔で更新する制御は、前記表示手段において表示される印刷要求の一覧表示を設定された時間間隔で更新する制御である請求項１記載の印刷制御装置である。
【手続補正４】
【補正対象書類名】明細書
【補正対象項目名】０００７
【補正方法】変更
【補正の内容】
【０００７】
請求項３に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段とを備え、
前記表示制御手段は、前記表示手段において表示される印刷要求の一覧表示を設定された時間間隔で更新するよう制御する場合、処理状態が印刷中である印刷要求については印刷要求の一覧表示において表示しないように制御する印刷制御装置である。
【手続補正５】
【補正対象書類名】明細書
【補正対象項目名】０００８
【補正方法】変更
【補正の内容】
【０００８】
請求項４に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値以上であると判定された場合、前記表示手段において表示される印刷要求の一覧表示を設定された時間間隔で更新するよう制御する表示制御手段とを備え、
前記表示制御手段は、前記表示手段において表示される印刷要求の一覧表示を設定された時間間隔で更新するよう制御する場合、印刷要求の一覧表示における全ての印刷要求の処理状態を印刷完了であるとして表示するよう制御する印刷制御装置である。
【手続補正６】
【補正対象書類名】明細書
【補正対象項目名】０００９
【補正方法】変更
【補正の内容】
【０００９】
[印刷システム]
請求項５に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを送信する送信手段と、
前記受付手段により受け付けられた複数の印刷要求の一覧を、各印刷要求の処理状態とともに表示する表示手段と、
前記複数の印刷要求に基づく処理が完了する速さである進捗速度が設定値以上であるか否かを判定する判定手段と、
前記判定手段により進捗速度が設定値未満であると判定された場合、前記表示手段において表示される印刷要求の一覧表示を第１の時間間隔で更新するよう制御し、前記判定手段により進捗速度が設定値以上であると判定された場合、前記表示手段において表示される印刷要求の一覧表示を前記第１の時間間隔よりも長い第２の時間間隔で更新するよう制御する表示制御手段と、
前記送信手段により送信されてきた印刷データに基づいた画像を印刷用紙上に出力する印刷装置とを備えている。
【手続補正７】
【補正対象書類名】明細書
【補正対象項目名】００１０
【補正方法】変更
【補正の内容】
【００１０】
[プログラム]
請求項６に係る本発明は、受け付けた印刷要求に基づいて印刷用紙上に画像を出力するための印刷データを生成して印刷装置に送信するステップと、
受け付けた複数の印刷要求の一覧を、各印刷要求の処理状態とともに表示するステップと、
受け付けた複数の印刷要求に基づく処理が完了する速さである進捗速度が設定値以上であるか否かを判定するステップと、
進捗速度が設定値未満であると判定された場合、表示される印刷要求の一覧表示を第１の時間間隔で更新するよう制御し、進捗速度が設定値以上であると判定された場合、表示される印刷要求の一覧表示を前記第１の時間間隔よりも長い第２の時間間隔で更新するよう制御するステップとをコンピュータに実行させるためのプログラムである。
【手続補正８】
【補正対象書類名】明細書
【補正対象項目名】００１１
【補正方法】変更
【補正の内容】
【００１１】
請求項１に係る本発明によれば、印刷速度が高速な印刷装置に対して印刷処理を実行させるような場合でも、印刷要求の一覧表示を視認可能とすることができる印刷制御装置を提供することができる。
請求項２に係る本発明によれば、印刷速度が高速な印刷装置に対して印刷処理を実行させるような場合でも、印刷要求の一覧表示を視認可能とすることができる印刷制御装置を提供することができる。
【手続補正９】
【補正対象書類名】明細書
【補正対象項目名】００１２
【補正方法】変更
【補正の内容】
【００１２】
請求項３に係る本発明によれば、印刷速度が高速な印刷装置に対して印刷処理を実行させるような場合でも、印刷要求の一覧表示を視認可能とすることができることに加えて、印刷要求の一覧表示を行う際に、実際には印刷処理が完了している印刷要求の処理状態を印刷中であるとして表示することを防ぐことが可能な印刷制御装置を提供することができる。
【手続補正１０】
【補正対象書類名】明細書
【補正対象項目名】００１３
【補正方法】変更
【補正の内容】
【００１３】
請求項４に係る本発明によれば、印刷速度が高速な印刷装置に対して印刷処理を実行させるような場合でも、印刷要求の一覧表示を視認可能とすることができることに加えて、印刷要求の一覧表示を行う際に、実際には印刷処理が完了している印刷要求の処理状態を印刷処理が完了していないとして表示することを防ぐことが可能な印刷制御装置を提供することができる。
【手続補正１１】
【補正対象書類名】明細書
【補正対象項目名】００１４
【補正方法】変更
【補正の内容】
【００１４】
請求項５に係る本発明によれば、印刷速度が高速な印刷装置に対して印刷処理を実行させるような場合でも、印刷要求の一覧表示を視認可能とすることができる印刷システムを提供することができる。
【手続補正１２】
【補正対象書類名】明細書
【補正対象項目名】００１５
【補正方法】変更
【補正の内容】
【００１５】
請求項６に係る本発明によれば、印刷速度が高速な印刷装置に対して印刷処理を実行させるような場合でも、印刷要求の一覧表示を視認可能とすることができるプログラムを提供することができる。